(57)【要約】  内視鏡１は、挿入部２の先端に設けられた内部材２０と、内部材２０の外側に嵌合され、電気的な基準となるグラウンドと電気的に接続される導電性の外部材４１と、内部材２０に固定された撮像ユニット３０と、撮像ユニット３０に設けられた導電部材３１，３２と、導電部材３１，３２に第１の端部が接続され、外部材４１に第２の端部が接続されて、導電部材３１，３２と外部材４１とを電気的に接続する導通部５０と、第１の端部と一端が電気的に接続される導線５４と、外部材４１に形成されて、導線３１，３２の他端部を導出入させる開口５６と、を有する。
2020225858.tif 000002
【特許請求の範囲】
【請求項１】
挿入部の先端に設けられた内部材と、
前記内部材の外側に嵌合され、電気的な基準となるグラウンドと電気的に接続される導電性の外部材と、
前記内部材に固定された撮像ユニットと、
前記撮像ユニットに設けられた導電部材と、
前記導電部材に第１の端部が接続され、前記外部材に前記第１の端部の反対側の第２の端部が接続されて、前記導電部材と前記外部材とを電気的に接続する導通部と、
前記第１の端部と一端が電気的に接続される導線と、
前記内部材と前記外部材が嵌合された状態において、前記外部材に形成されて、前記導線の他端部を導出入させる開口と、
を有することを特徴とする内視鏡。
【請求項２】
前記内部材は、非導電性であることを特徴とする請求項１に記載の内視鏡。
【請求項３】
前記導線は、絶縁体で被覆された被覆導線であることを特徴とする請求項１に記載の内視鏡。
【請求項４】
前記導電部材は、前記撮像ユニットの観察光学系を保持する保持枠であることを特徴とする請求項１に記載の内視鏡。
【請求項５】
挿入部の先端に設けられた内部材と、
前記内部材の外側に嵌合され、電気的な基準となるグラウンドと電気的に接続される導電性の外部材と、
前記内部材に固定された撮像ユニットと、
前記撮像ユニットに設けられた導電部材と、
前記導電部材に第１の端部が接続され、前記外部材に前記第１の端部の反対側の第２の端部が接続されて、前記導電部材と前記外部材とを電気的に接続する導通部と、
前記第１の端部と一端が電気的に接続される導線と、
前記内部材と前記外部材が嵌合された状態において、前記外部材に形成されて、前記導線の他端部を導出入させる開口と、
を有する内視鏡の接地確認方法であって、
前記導通部が前記第２の端部が前記内部材の外面と前記外部材の内面の間に挟まれるようにすると共に、前記開口から前記導線の前記他端が導出するように前記内部材と前記外部材を嵌合するステップと、
前記導線の他端と前記外部材にテスターを当てて前記導通部によって前記撮像ユニットと前記外部材の導通検査をするステップと、
前記導通検査後に前記導線を前記開口から前記外部材内に収容するステップと、
を含むことを特徴とする内視鏡の接地確認方法。
【発明の詳細な説明】
【技術分野】
【０００１】
本発明は、挿入部の先端部に設けられた非導電性の枠部品に撮像ユニットが搭載された内視鏡であって、特に撮像ユニットの接地の導通性を確認する構成を備えた内視鏡および内視鏡の接地確認方法に関する。
【背景技術】
【０００２】
周知の如く、内視鏡は、生体の体内（体腔内）の観察、処置など、または工業用のプラント設備内の検査、修理などのため広く用いられている。このような、内視鏡は、屈曲する管路に挿入するための挿入部を有している。【０００３】
このような内視鏡には、挿入部の先端部に撮像ユニットが設けられた構成が知られている。内視鏡は、先端部に印加された静電気、高周波電流などが撮像ユニットに流れることで不具合が生じないように装置のグラウンド（ＧＮＤ）に逃がす必要がある。【０００４】
先端硬質部材を絶縁体で形成した場合における静電気、高周波のリークを、先端部を細径化とともに実現する。【０００５】
例えば、国際特許特開ＷＯ２０１２−１２４５２６号報には、挿入部に設けられた絶縁性の先端硬質部に観察光学系の枠部材とグランドに接続されたコネクタ部材とを有し、コネクタ部材側から、挿入部の構造を形成する接地金属部材と導電接続部の順に接続した内視鏡が開示されている。【０００６】
国際特許特開ＷＯ２０１２−１２４５２６号報に記載されるように、挿入部の先端部を絶縁性部材で形成したときに、撮像ユニットの接地方法としては、撮像ユニットの外装金属と内視鏡のグランド（ＧＮＤ）とを導電体を介して電気的に接続する必要がある。【０００７】
このとき、撮像ユニットと導電体の導通検査を行い接地確認する必要がある。しかしながら、従来の構成では、撮像ユニットが設けられた先端部を組付後に、挿入部の内部にテスターなどの検査機器を入れることができず、撮像ユニットと導電体が本当に電気的に導通して接地されているかの確認ができなくなってしまうという課題があった。【０００８】
そこで、本発明は、上記事情に鑑みなされたものあり、挿入部の先端部に設けられた撮像ユニットをグラウンドと導通する導電部に容易、かつ確実に電気的に接続することができ、撮像ユニットの接地確認を簡易に行えるようにした内視鏡および内視鏡の接地確認方法を実現することを目的とする。
【発明の開示】
【課題を解決するための手段】
【０００９】
本発明の一態様における内視鏡は、挿入部の先端に設けられた内部材と、前記内部材の外側に嵌合され、電気的な基準となるグラウンドと電気的に接続される導電性の外部材と、前記内部材に固定された撮像ユニットと、前記撮像ユニットに設けられた導電部材と、前記導電部材に第１の端部が接続され、前記外部材に前記第１の端部の反対側の第２の端部が接続されて、前記導電部材と前記外部材とを電気的に接続する導通部と、前記第１の端部と一端が電気的に接続される導線と、前記内部材と前記外部材が嵌合された状態において、前記外部材に形成されて、前記導線の他端部を導出入させる開口と、を有する。【００１０】
本発明の一態様における内視鏡の接地確認方法は、挿入部の先端に設けられた内部材と、前記内部材の外側に嵌合され、電気的な基準となるグラウンドと電気的に接続される導電性の外部材と、前記内部材に固定された撮像ユニットと、前記撮像ユニットに設けられた導電部材と、前記導電部材に第１の端部が接続され、前記外部材に前記第１の端部の反対側の第２の端部が接続されて、前記導電部材と前記外部材とを電気的に接続する導通部と、前記第１の端部と一端が電気的に接続される導線と、前記内部材と前記外部材が嵌合された状態において、前記外部材に形成されて、前記導線の他端部を導出入させる開口と、を有する内視鏡の接地確認方法であって、前記導通部が前記第２の端部が前記内部材の外面と前記外部材の内面の間に挟まれるようにすると共に、前記開口から前記導線の前記他端が導出するように前記内部材と前記外部材を嵌合するステップと、前記導線の他端と前記外部材にテスターを当てて前記導通部によって前記撮像ユニットと前記外部材の導通検査をするステップと、前記導通検査後に前記導線を前記開口から前記外部材内に収容するステップと、を含む。
【発明の効果】
【００１１】
本発明によれば、挿入部の先端部に設けられた撮像ユニットをグラウンドと導通する導電部に容易、かつ確実に電気的に接続することができ、撮像ユニットの接地確認を簡易に行えるようにした内視鏡および内視鏡に設けられる撮像ユニットの接地確認方法を実現することができる。
【図面の簡単な説明】
【００１２】
【図１】同、本発明の一態様の内視鏡の外観を示す図
【図２】同、挿入部の先端部分の構成を示す斜視図
【図３】同、挿入部の先端部分の構成を示す断面図
【図４】同、先端硬質部と最先端の湾曲駒の嵌合状態を示す分解斜視図
【図５】同、先端硬質部と最先端の湾曲駒が嵌合された状態を示す斜視図
【図６】同、先端硬質部と最先端の湾曲駒が嵌合されテスターによって導通検査する状態を示す図
【発明を実施するための最良の形態】
【００１３】
ここでは、本発明である内視鏡を例に挙げて説明する。なお、以下の説明において、各実施の形態に基づく図面は、模式的なものであり、各部分の厚みと幅との関係、夫々の部分の厚みの比率などは現実のものとは異なることに留意すべきであり、図面の相互間においても互いの寸法の関係や比率が異なる部分が含まれている場合がある。  
また、以下の構成説明における内視鏡は、気管支鏡、泌尿器鏡などの挿入部が細径の内視鏡を例示しているが、これに限定されることなく、生体の上部または下部の消化器官に挿入するため挿入部が可撓性のある所謂軟性鏡、外科用に用いられる挿入部が硬質な所謂硬性鏡にも適用できるものである。【００１４】
以下、本発明の一態様の内視鏡について、図面に基づいて説明する。  
図１に示すように、本実施形態の電子内視鏡である内視鏡１は、細長管状に形成される挿入部２と、この挿入部２の基端に連設される操作部３と、この操作部３から延設される内視鏡ケーブルであるユニバーサルコード４と、このユニバーサルコード４の先端に配設される内視鏡コネクタ５などによって主に構成されている。【００１５】
挿入部２は、先端側から順に、先端部６、湾曲部７および可撓管部８が連設されて形成され可撓性を備えた管状部材である。このうち、先端部６には、内部に撮像手段を備えた後述の撮像装置である撮像ユニット、照明手段などが収納配置されている。  
湾曲部７は、操作部３の操作部材のうち湾曲レバー１３の回動操作によって、挿入部２の上下２方向（ＵＰ−ＤＯＷＮ）へと能動的に湾曲させ得るように構成される機構部位である。【００１６】
なお、湾曲部７は、上下２方向へ能動的に湾曲するタイプのものに限定されることはなく、上下方向に加えて左右方向をも含めた４方向（上下左右の操作によって軸回りの全周方向、ＵＰ−ＤＯＷＮ／ＬＥＦＴ−ＲＩＧＨＴ）に湾曲し得るタイプのものであっても良いし、上（ＵＰ）方向の１方向にのみ湾曲し得るタイプのものでもよく、さらに湾曲レバー１３による能動的に湾曲する機構を有しておらず、単に受動的に湾曲するタイプのものであってもよい。【００１７】
可撓管部８は、受動的に可撓可能となるように柔軟性を持たせて形成される管状部材である。この可撓管部８の内部には、後述する処置具挿通チャンネルのほか、先端部６に内蔵される撮像装置から延出し、さらに操作部３からユニバーサルコード４の内部へと延設される後述の信号ケーブル束、光源装置からの照明光を導光し先端部６から出射させるための後述するライトガイドバンドルなどが挿通している（ここでは、何れも不図示）。【００１８】
操作部３は、先端側に設けられ可撓管部８の基端を覆って可撓管部８と接続される折れ止め部９と、この折れ止め部９に連設され使用者が内視鏡１を使用する時に手によって把持する把持部１０と、この把持部１０の外表面に設けられる各種内視鏡機能を操作する操作手段と、処置具挿通部１１と、吸引バルブ１５などによって構成される。【００１９】
操作部３に設けられる操作手段としては、例えば湾曲部７の湾曲操作を行う湾曲レバー１３、送気送水操作または吸引操作、撮像手段、照明手段などの各対応する操作を行うための複数の操作部材１４などがある。【００２０】
処置具挿通部１１は、各種の処置具（不図示）を挿入する処置具挿通口を備え、操作部３の内部で、分岐部材を介して処置具挿通チャンネル（不図示）に連通する構成部である。【００２１】
この処置具挿通部１１には、処置具挿通口を開閉するための蓋部材であって、この処置具挿通部１１に対して着脱自在（交換可能）に構成される鉗子栓１２が配設されている。なお、処置具挿通チャンネルは、操作部３の内部において、分岐部材によって吸引バルブ１５とも連通した構成となっている。【００２２】
ユニバーサルコード４は、挿入部２の先端部６から、この挿入部２内部を挿通して操作部３に至り、信号ケーブル束、光源装置（不図示）からの照明光を伝送するライトガイドバンドルなどが挿通された複合ケーブルである。【００２３】
内視鏡コネクタ５は、外部機器のビデオプロセッサ（不図示）との間を接続する信号ケーブルが接続される電気コネクタ部１６を側面部に有すると共に、外部機器である光源装置との間を接続する後述のライトガイドバンドルおよび電気ケーブル（不図示）が接続される光源コネクタ部１７と、外部機器の送気送水装置（不図示）からの送気送水用チューブ（不図示）を接続する送気送水プラグ１８などを有して構成されている。【００２４】
ここで、本実施の形態の内視鏡１の挿入部２の先端部分の構成について、図２および図３に基づき、以下に説明する。なお、以下の説明において、挿入部２の周知の構成に関しては、説明を省略する。【００２５】
挿入部２の先端部６は、図２に示すように、観察窓２１、照明窓２２およびチャンネル開口部２３が設けられた絶縁性を有する非導電性の略円柱状ブロック体の枠部品である内部材となる先端硬質部２０を備えている。この先端硬質部２０は、中途から基端側に向けて湾曲ゴム２５が被覆しており、この湾曲ゴム２５の先端が糸巻接着部２４によって固着されている。【００２６】
先端部６には、図３に示すように、先端硬質部２０に形成された嵌合孔２８に撮像ユニット３０が挿嵌して設けられている。この撮像ユニット３０は、接着剤などの充填剤３６によって先端硬質部２０に固定されている。【００２７】
撮像ユニット３０は、観察窓２１を含む対物レンズ群３３を保持する導電性の金属などから形成された導電部である２つのレンズ枠３１，３２を有している。また、撮像ユニット３０は、ＣＣＤ、ＣＭＯＳなどの固体撮像素子、駆動回路基板などが設けられた図示しない素子枠を基端側のレンズ枠３２の基端外周部分と共に覆う熱収縮チューブ３４を有している。【００２８】
この熱収縮チューブ３４からは、撮像ケーブル３５が基端側に延設している。なお、熱収縮チューブ３４内には、水密保持のため接着剤などが充填されている。【００２９】
撮像ユニット３０のレンズ枠３１，３２は、導通部としてのジャンパー線５０の先端およびテスターケーブルとしてのエナメル線、ビニール被覆線などの絶縁性の外皮を有する被覆導線の絶縁ケーブル５４の先端側の芯線が半田などの電気接続部５５により電気的に接続されている。【００３０】
ジャンパー線５０の基端は、先端硬質部２０の基端側の外周部２６に外嵌合する導電性を有する環状の外装部材である外部材としての最先端の湾曲駒４１と電気的に接続される。【００３１】
これにより、レンズ枠３１，３２に印加された電流（電荷）がジャンパー線５０および湾曲駒４１へと流れるように導通した構成となっている。【００３２】
ジャンパー線５０は、基端部分が先端硬質部２０の外面である外周部２６と最先端の湾曲駒４１の内面４２に挟まれた状態で保持されている。これにより、ジャンパー線５０は、湾曲駒４１と電気的に導通し、撮像ユニット３０のレンズ枠３１，３２がジャンパー線５０を介して電気的に接続される。
なお、絶縁ケーブル５４の基端は、挿入部２に内包された状態で収容されている。【００３３】
湾曲駒４１は、複数に連設され、枢支部４３によって互いが回動自在となるように軸支されている。これら複数の湾曲駒４１は、湾曲レバー１３の操作により湾曲操作ワイヤー４４，４５が牽引弛緩される。【００３４】
これにより、複数の湾曲駒４１が枢支部４３回りに回動され、湾曲部７が湾曲操作される。なお、湾曲操作ワイヤー４４，４５は、複数の湾曲駒４１の内面側に設けられたワイヤガイド４６に固定または挿通保持されている。【００３５】
これら複数の湾曲駒４１は、それぞれが電気的に導通しており、最基端の湾曲駒４１が可撓管部８の図示しない金属ブレードと電気的に導通するように接続されている。なお、可撓管部８の金属ブレードは、操作部３の金属製のフレームおよびユニバーサルコード４を介して内視鏡コネクタ５とも電気的に導電通している。【００３６】
そして、内視鏡コネクタ５は、外部機器と接続されて、内視鏡の電気的な基準となる患者グラウンド（ＧＮＤ）が撮像ユニット３０と電気的に導通する構成となっている。【００３７】
即ち、内視鏡１は、湾曲駒４１、可撓管部８の金属ブレード、操作部３のフレーム、ユニバーサルコード４および内視鏡コネクタ５まで、グラウンド（ＧＮＤ）の電気的な導通路が形成され、内視鏡コネクタ５が外部機器と接続されて接地される構成となっている。【００３８】
これにより、非導電性の先端硬質部２０に嵌合された撮像ユニット３０も、最先端の湾曲駒４１に電気的に接続されたジャンパー線５０を介して挿通しているため、内視鏡コネクタ５が外部機器と接続されて接地された構成となる。【００３９】
なお、先端硬質部２０に嵌合する最先端の湾曲駒４１は、図４および図５に示すように、先端開口部４７（図６参照）が設けられた先端側の端部から基端側に向けて一部が切り欠かれた導通部カット孔部である開口５１が形成されている。この開口５１は、先端硬質部２０の外周面の一部を露出している。【００４０】
開口５１は、図５に示すように、湾曲駒４１の端部にある先端開口部４７から基端側に切り欠かれた直線状の溝部５２と、この溝部５２に連通する三角形の導通部カット部５３と、を有している。【００４１】
さらに、先端硬質部２０に嵌合する最先端の湾曲駒４１は、先端開口部４７から基端側に切り欠かれた所定の長さの切欠部５６が形成されている。この切欠部５６は、絶縁ケーブル５４を最先端の湾曲駒４１から導出させるためのものである。【００４２】
切欠部５６は、先端硬質部２０と最先端の湾曲駒４１とが嵌合した状態において、先端硬質部２０の基端よりも長い所定の長さが設定されている。【００４３】
即ち、切欠部５６は、最先端の湾曲駒４１への先端硬質部２０の嵌合長よりも長く、絶縁ケーブル５４を導出させる開口のケーブル導出口が形成されるように所定の長さが設定されている。【００４４】
なお、絶縁ケーブル５４を導出させる構成は、最先端の湾曲駒４１の先端開口部４７から切り欠いたものでなくてもよく、先端硬質部２０の嵌合部と重ならない最先端の湾曲駒４１の外周部に絶縁ケーブル５４を導出させるための孔部状のケーブル導出口を形成してもよい。【００４５】
ここで、図４から図５に示すように、先端硬質部２０に最先端の湾曲駒４１が嵌合されて、開口５１から延出するジャンパー線５０をカットする構成について説明する。  
先端硬質部２０と最先端の湾曲駒４１を嵌合するとき、図４に示すように、ジャンパー線５０が湾曲駒４１の開口５１の溝部５２から導通部カット部５３に通される。【００４６】
なお、湾曲駒４１の開口５１の導通部カット部５３にジャンパー線５０を通すことができるため、必ずしも湾曲駒４１の先端開口部４７と開口５１とを繋ぐように連通する溝部５２が無くてもよい。【００４７】
そして、図５に示すように、先端硬質部２０と最先端の湾曲駒４１が嵌合される。このとき、ジャンパー線５０は、先端硬質部２０の外面である外周部２６と最先端の湾曲駒４１の内面４２に挟まれて固定され、開口５１の導通部カット部５３から延出した状態となる。【００４８】
この導通部カット部５３から延出した余分なジャンパー線５０は、デザインナイフなどの切断具（不図示）によって、図６に示すように、導通部カット部５３内に収まるように切断される。【００４９】
即ち、先端硬質部２０と最先端の湾曲駒４１とを嵌合するときに、撮像ユニット３０の導電部であるレンズ枠３１，３２に接続されたジャンパー線５０は、先端硬質部２０と湾曲駒４１の間に挟み込んで導電性の湾曲駒４１と容易、かつ確実に電気的に接続することができる構成となっている。【００５０】
これにより、内視鏡１は、非導電性の先端硬質部２０が設けられた挿入部２の先端部６に静電気、処置具などから発生する高周波電流などが印加されて、撮像ユニット３０のレンズ枠３１，３２に流れてもジャンパー線５０から湾曲駒４１を介してグラウンド（ＧＮＤ）に落とされる。【００５１】
即ち、先端部６に発生した電荷は、レンズ枠３１，３２に流れ、ジャンパー線５０から湾曲駒４１を介してグラウンド（ＧＮＤ）へとリークされる。従って、内視鏡１の撮像ユニット３０は、静電気、高周波電流などによる不具合が防止される。【００５２】
したがって、内視鏡１は、撮像ユニット３０を接地するために、導線であるジャンパー線５０の一端の近傍部分を、撮像ユニット３０を外部から絶縁する先端枠部品である先端硬質部２０と、グラウンド（ＧＮＤ）に接続された外装部材である湾曲駒４１によって挟み込んだ簡単な構造を有した構成となる。【００５３】
なお、先端硬質部２０は、非導電性が望ましいが、これに限定されることなく導電性であってもよい。【００５４】
ところで、先端硬質部２０と最先端の湾曲駒４１が嵌合されて、最先端の湾曲駒４１に形成された切欠部５６から導出された絶縁ケーブル５４は、導出端部からエナメル、シースなどの被覆が剥ぎ取られた銅線などの導線５４ａにテスター１００の一方のテスター棒１０１が当てられる。一方、テスター１００の他方のテスター棒１０２は、最先端の湾曲駒４１の外周部に当てられて、撮像ユニット３０と最先端の湾曲駒４１との導通検査が行われる。【００５５】
即ち、撮像ユニット３０は、ジャンパー線５０を介して最先端の湾曲駒４１と電気的に接続されており、ジャンパー線５０および絶縁ケーブル５４の一端がレンズ枠３１，３２に電気接続部５５によって接続されている。【００５６】
そのため、絶縁ケーブル５４の導線５４ａと最先端の湾曲駒４１にテスター１００のテスター棒１０１，１０２を当てることで、撮像ユニット３０のレンズ枠３１，３２と最先端の湾曲駒４１とを電気的に接続するジャンパー線５０の導通検査を行うことができ、ジャンパー線５０に断線などの不具合が生じていないか検査することができる。【００５７】
なお、テスター１００による導通検査後、絶縁ケーブル５４は、切欠部５６によって形成されたケーブル導出口から最先端の湾曲駒４１内に収容される。このとき、絶縁ケーブル５４は、被覆されていない導線５４ａを切り落としてもよいし、端部に絶縁スリーブを設けてもよい。【００５８】
以上のように構成された内視鏡１は、最先端の湾曲駒４１に先端硬質部２０を嵌合した後でも、撮像ユニット３０とグラウンド（ＧＮＤ）と導通する湾曲駒４１との導通検査を容易に行えて、撮像ユニット３０の接地確認をすることができる。【００５９】
従って、内視鏡１は、挿入部２の先端部６に内蔵された撮像ユニット３０をグラウンド（ＧＮＤ）と導通する導電部である湾曲駒４１にジャンパー線５０によって容易、かつ確実に電気的に接続することができ、湾曲駒４１と絶縁ケーブル５４にテスター１００を当てて導通検査することで、撮像ユニット３０の接地確認を簡易に行える構成とすることができる。【００６０】
以上の実施の形態および変形例に記載した発明は、それら実施の形態および変形例に限ることなく、その他、実施段階ではその要旨を逸脱しない範囲で種々の変形を実施し得ることが可能である。さらに、上記実施の形態および変形例には、種々の段階の発明が含まれており、開示される複数の構成要件における適宜な組合せにより種々の発明が抽出され得るものである。【００６１】
例えば、実施の形態および変形例に示される全構成要件から幾つかの構成要件が削除されても、述べられている課題が解決でき、述べられている効果が得られる場合には、この構成要件が削除された構成が発明として抽出され得るものである。
【図１】
2020225858.tif 000003
【図２】
2020225858.tif 000004
【図３】
2020225858.tif 000005
【図４】
2020225858.tif 000006
【図５】
2020225858.tif 000007
【図６】
2020225858.tif 000008
【手続補正書】
【提出日】令和3年7月13日(2021.7.13)
【手続補正１】
【補正対象書類名】明細書
【補正対象項目名】０００９
【補正方法】変更
【補正の内容】
【０００９】
本発明の一態様における内視鏡は、挿入部の先端に設けられた内部材と、前記内部材の外側に嵌合され、電気的な基準となるグラウンドと電気的に接続される導電性の外部材と、前記内部材に固定された撮像ユニットと、前記撮像ユニットに設けられた導電部材と、前記導電部材に第１の端部が接続され、前記外部材に前記第１の端部の反対側の第２の端部が接続されて、前記導電部材と前記外部材とを電気的に接続する導通部と、第３の端部と第４の端部とを有し、前記第１の端部と前記第３の端部が電気的に接続される導線と、前記内部材と前記外部材が嵌合された状態において、前記外部材に形成されて、前記導線の前記第４の端部を導出入させる開口と、を有する。
本発明の他の態様における内視鏡は、挿入部の先端に設けられた内部材と、開口を有し、前記内部材の外側に嵌合され、電気的な基準となるグラウンドと電気的に接続される導電性の外部材と、前記内部材に保持される撮像ユニットと、前記撮像ユニットに設けられた導電部材と、前記導電部材と前記外部材とを電気的に接続する導通部と、前記導電部材と電気的に接続される導線と、を有し、前記開口は、前記導線の一部を導出入可能に形成される。
【手続補正２】
【補正対象書類名】明細書
【補正対象項目名】００１０
【補正方法】変更
【補正の内容】
【００１０】
本発明の一態様における内視鏡の接地確認方法は、挿入部の先端に設けられた内部材と、前記内部材の外側に嵌合され、電気的な基準となるグラウンドと電気的に接続される導電性の外部材と、前記内部材に固定された撮像ユニットと、前記撮像ユニットに設けられた導電部材と、前記導電部材に第１の端部が接続され、前記外部材に前記第１の端部の反対側の第２の端部が接続されて、前記導電部材と前記外部材とを電気的に接続する導通部と、前記第１の端部と一端が電気的に接続される導線と、前記内部材と前記外部材が嵌合された状態において、前記外部材に形成されて、前記導線の他端部を導出入させる開口と、を有する内視鏡の接地確認方法であって、前記導通部が前記第２の端部が前記内部材の外面と前記外部材の内面の間に挟まれるようにすると共に、前記開口から前記導線の前記他端が導出するように前記内部材と前記外部材を嵌合するステップと、前記導線の他端と前記外部材にテスターを当てて前記導通部によって前記撮像ユニットと前記外部材の導通検査をするステップと、を含む。
【手続補正３】
【補正対象書類名】特許請求の範囲
【補正対象項目名】全文
【補正方法】変更
【補正の内容】
【特許請求の範囲】
【請求項１】
挿入部の先端に設けられた内部材と、
前記内部材の外側に嵌合され、電気的な基準となるグラウンドと電気的に接続される導電性の外部材と、
前記内部材に固定された撮像ユニットと、
前記撮像ユニットに設けられた導電部材と、
前記導電部材に第１の端部が接続され、前記外部材に前記第１の端部の反対側の第２の端部が接続されて、前記導電部材と前記外部材とを電気的に接続する導通部と、
第３の端部と第４の端部とを有し、前記第１の端部と前記第３の端部が電気的に接続される導線と、
前記内部材と前記外部材が嵌合された状態において、前記外部材に形成されて、前記導線の前記第４の端部を導出入させる開口と、
を有することを特徴とする内視鏡。
【請求項２】
前記内部材は、非導電性であることを特徴とする請求項１に記載の内視鏡。
【請求項３】
前記導線は、絶縁体で被覆された被覆導線であることを特徴とする請求項１に記載の内視鏡。
【請求項４】
前記導電部材は、前記撮像ユニットの観察光学系を保持する保持枠であることを特徴とする請求項１に記載の内視鏡。
【請求項５】
挿入部の先端に設けられた内部材と、
前記内部材の外側に嵌合され、電気的な基準となるグラウンドと電気的に接続される導電性の外部材と、
前記内部材に固定された撮像ユニットと、
前記撮像ユニットに設けられた導電部材と、
前記導電部材に第１の端部が接続され、前記外部材に前記第１の端部の反対側の第２の端部が接続されて、前記導電部材と前記外部材とを電気的に接続する導通部と、
前記第１の端部と一端が電気的に接続される導線と、
前記内部材と前記外部材が嵌合された状態において、前記外部材に形成されて、前記導線の他端部を導出入させる開口と、
を有する内視鏡の接地確認方法であって、
前記導通部が前記第２の端部が前記内部材の外面と前記外部材の内面の間に挟まれるようにすると共に、前記開口から前記導線の前記他端が導出するように前記内部材と前記外部材を嵌合するステップと、
前記導線の他端と前記外部材にテスターを当てて前記導通部によって前記撮像ユニットと前記外部材の導通検査をするステップと、
を含むことを特徴とする内視鏡の接地確認方法。
【請求項６】
前記導通検査後に前記導線を前記開口から前記外部材内に収容するステップと、をさらに含むことを特徴とする請求項５に記載の内視鏡の接地確認方法。 
【請求項７】
挿入部の先端に設けられた内部材と、
開口を有し、前記内部材の外側に嵌合され、電気的な基準となるグラウンドと電気的に接続される導電性の外部材と、
前記内部材に保持される撮像ユニットと、
前記撮像ユニットに設けられた導電部材と、
前記導電部材と前記外部材とを電気的に接続する導通部と、
前記導電部材と電気的に接続される導線と、
を有し、
前記開口は、前記導線の一部を導出入可能に形成されることを特徴とする内視鏡。
【請求項８】
前記導線と前記外部材との間に電荷を与えた場合において、前記電荷が、前記導線、前記導電部材、前記導通部、前記外部材の順に移動するように形成されることを特徴とする請求項７に記載の内視鏡。
【国際調査報告】
2020225858.tif 000009
2020225858.tif 000010
2020225858.tif 000011
2020225858.tif 000012